(57)【要約】      （修正有）【課題】ランダムに巻かれたストリングをスムーズにほぐすことができるストリングケースを提供する。【解決手段】ストリングケース１０１は、底面部、底面部の中央部分から延伸する軸部１０５、及び底面部の周辺部分から延伸する側面部１０６を有する本体部と、底面部の反対側において取外可能に本体部に取り付けられた蓋部１０３と、軸部の外径より大きい内径を有し、軸部の周りに回転可能に配置された筒状体１０７とを備え、ランダムに巻かれたストリング１０９が、側面部１０６と筒状体１０７との間に配置され、ストリングケースに設けられた取出口から取り出されたストリングの一方の端部１１０を牽引すると、ストリングと筒状体との間の摩擦によって筒状体が軸部の周りを回転して、ストリングを引き出す。【選択図】図６
0003224968.tif 000002
【実用新案登録請求の範囲】
【請求項１】
底面部、前記底面部の中央部分から延伸する軸部、及び前記底面部の周辺部分から延伸する側面部を有する本体部と、前記底面部の反対側において取外可能に前記本体部に取り付けられた蓋部と、前記軸部の外径より大きい内径を有し、前記軸部の周りに回転可能に配置された筒状体とを備えるストリングケースであって、
略リング状にランダムに巻かれたストリングが、前記側面部と前記筒状体との間に配置され、前記ストリングケースには取出口が設けられ、前記取出口から取り出された前記ストリングの一方の端部を牽引すると、前記ストリングと前記筒状体との間の摩擦によって前記筒状体が前記軸部の周りを回転して、前記ストリングを引き出すことができるようになっている、ストリングケース。
【請求項２】
前記ストリングの他方の端部は、前記筒状体に固定されていない、請求項１に記載のストリングケース。
【請求項３】
前記ストリングは、略リング状にランダムに巻かれた状態で前記側面部と前記筒状体との間に配置されることができる、請求項１又は２に記載のストリングケース。
【請求項４】
前記底面部及び／又は前記蓋部の前記側面部と前記筒状体との間の部分に、少なくとも１つの孔が設けられる、請求項１〜３の何れか一項に記載のストリングケース。
【請求項５】
前記筒状体は、前記軸部から取外可能である、請求項１〜４の何れか一項に記載のストリングケース。
【請求項６】
前記軸部及び前記蓋部にはそれぞれ、互いに対して略同心であって、整列された孔が設けられる、請求項１〜５の何れか一項に記載のストリングケース。
【請求項７】
前記蓋部は、前記蓋部を前記本体部に取り付ける際に位置合わせするためのガイド部を有する、請求項１〜６の何れか一項に記載のストリングケース。
【請求項８】
前記側面部及び前記蓋部はそれぞれ、前記蓋部を前記本体部に取り付ける際に互いに対して解除可能に係合するための接合部を有する、請求項１〜７の何れか一項に記載のストリングケース。
【請求項９】
前記側面部、前記軸部、及び前記筒状体は、略同心の円筒体である、請求項１〜８の何れか一項に記載のストリングケース。
【請求項１０】
前記ストリングは、テニス、バドミントン、又はスカッシュ用のストリングである、請求項１〜９の何れか一項に記載のストリングケース。
【考案の詳細な説明】
【技術分野】
【０００１】
本考案は、ランダムに巻かれたストリングをスムーズにほぐすことができるストリングケースに関するものである。
【背景技術】
【０００２】
特許文献１には、ガットが、所定の長さに裁断され、コイル状に巻回された状態でパッケージに収容されて市販されていることが開示されている。
【先行技術文献】
【特許文献】
【０００３】
【特許文献１】登録実用新案第３１４８８０８号公報
【考案の概要】
【考案が解決しようとする課題】
【０００４】
特許文献１のコイル状に巻回された状態のガットをパッケージから取り出して、テニス、バドミントン、スカッシュ、等に使用されるラケットにガットを張る場合に、コイル状に巻回された状態のガットをほぐすことに時間を要して、ガットをパッケージから取り出してラケットに張り終えるまでに時間を要するという問題点がある。
【０００５】
従って、本考案の目的は、上記問題点を解決して、ランダムに巻かれたストリングをスムーズにほぐすことができるストリングケースを提供することである。
【課題を解決するための手段】
【０００６】
本考案の１つの観点によれば、ストリングケースが、底面部、底面部の中央部分から延伸する軸部、及び底面部の周辺部分から延伸する側面部を有する本体部と、底面部の反対側において取外可能に本体部に取り付けられた蓋部と、軸部の外径より大きい内径を有し、軸部の周りに回転可能に配置された筒状体とを備え、略リング状にランダムに巻かれたストリングが、側面部と筒状体との間に配置され、ストリングケースには取出口が設けられ、取出口から取り出されたストリングの一方の端部を牽引すると、ストリングと筒状体との間の摩擦によって筒状体が軸部の周りを回転して、ストリングを引き出すことができるようになっている。
【０００７】
本考案の一具体例によれば、ストリングケースにおいて、ストリングの他方の端部が、筒状体に固定されていない。
【０００８】
本考案の一具体例によれば、ストリングケースにおいて、ストリングが、略リング状にランダムに巻かれた状態で側面部と筒状体との間に配置されることができる。
【０００９】
本考案の一具体例によれば、ストリングケースにおいて、底面部及び／又は蓋部の側面部と筒状体との間の部分に、少なくとも１つの孔が設けられる。
【００１０】
本考案の一具体例によれば、ストリングケースにおいて、筒状体が、軸部から取外可能である。
【００１１】
本考案の一具体例によれば、ストリングケースにおいて、軸部及び蓋部にはそれぞれ、互いに対して略同心であって、整列された孔が設けられる。
【００１２】
本考案の一具体例によれば、ストリングケースにおいて、蓋部が、蓋部を本体部に取り付ける際に位置合わせするためのガイド部を有する。
【００１３】
本考案の一具体例によれば、ストリングケースにおいて、側面部及び蓋部がそれぞれ、蓋部を本体部に取り付ける際に互いに対して解除可能に係合するための接合部を有する。
【００１４】
本考案の一具体例によれば、ストリングケースにおいて、側面部、軸部、及び筒状体は、略同心の円筒体である。
【００１５】
本考案の一具体例によれば、ストリングケースにおいて、ストリングは、テニス、バドミントン、又はスカッシュ用のストリングである。
【考案の効果】
【００１６】
本考案によれば、略リング状にランダムに巻かれたストリングをスムーズにほぐすことができ、短時間でテニス、バドミントン、スカッシュ、等に使用されるラケットにストリングを張ることができる
【００１７】
なお、本考案の他の目的、特徴及び利点は、添付図面に関する以下の本考案の実施例の記載から明らかになるであろう。
【図面の簡単な説明】
【００１８】
【図１Ａ】一実施形態としてのストリングケースの上方から視た概略斜視図である。
【図１Ｂ】図１のストリングケースの下方から視た概略斜視図である。
【図２Ａ】図１のストリングケースの本体部の上方から視た概略斜視図である。
【図２Ｂ】図１のストリングケースの本体部の下方から視た概略斜視図である。
【図３Ａ】図１のストリングケースの蓋部の上方から視た概略斜視図である。
【図３Ｂ】図１のストリングケースの蓋部の下方から視た概略斜視図である。
【図４】図１のストリングケースの筒状体の概略斜視図である。
【図５】ストリングが配置された図１のストリングケースの本体部の上面図である。
【図６】ストリングが配置された図１のストリングケースの上面図である。
【考案を実施するための形態】
【００１９】
以下、本考案の実施例について図面を参照して説明するが、本考案はこれらの実施例に限定されるものではない。
【００２０】
図１Ａ〜図６を参照して、本考案による一実施形態としてのストリングケース１０１について説明する。ストリングケース１０１は、底面部１０４、底面部１０４の中央部分から延伸する軸部１０５、及び底面部１０４の周辺部分から延伸する側面部１０６を有する本体部１０２と、底面部１０４の反対側において取外可能に本体部１０２に取り付けられた蓋部１０３とを備える。軸部１０５と側面部１０６は同心であってもよい。ストリングケース１０１は、軸部１０５の外径より大きい内径を有し、軸部１０５の周りに回転可能に配置された筒状体１０７を更に備える。筒状体１０７は、軸部１０５に回転可能に取り付けられてもよいし、取外可能であってもよい。好ましくは、軸部１０５、側面部１０６、及び筒状体１０７は、略同心である。また、軸部１０５、側面部１０６、及び筒状体１０７は、略円筒体であってもよいし、略多角形の筒体であってもよい。
【００２１】
テニス、バドミントン、スカッシュ、等のラケットに使用されるストリング１０９は、ラケットに張る前、通常、略リング状にランダムに巻かれている。その略リング状にランダムに巻かれたストリング１０９を、蓋部１０３が本体部１０２から取り外された状態で、側面部１０６と筒状体１０７との間の底面部１０４上に配置し、ストリングケース１０１に設けられた取出口１０８を通って、ストリング１０９の一方の端部１１０がストリングケース１０１から取り出される。例えば、ストリング１０９の一方の端部１１０は、取出口１０８を通ってストリングケース１０１から１０〜２０ｃｍ程度取り出される。取出口１０８は、ストリングケース１０１の何れに設けられてもよいが、好ましくは、ストリングケース１０１の中央部分から離間された周辺部分に設けられ、より好ましくは側面部１０６に設けられる。側面部１０６と、筒状体１０７と、底面部１０４とによって囲まれる溝が形成され、その溝に略リング状にランダムに巻かれたストリング１０９は配置される。側面部１０６によってストリング１０９が広がらず、ストリング１０９が本体部１０２からはみ出さないようになっている。
【００２２】
ストリング１０９を配置した後、蓋部１０３は本体部１０２に取り付けられる。取出口１０８から取り出されたストリング１０９の一方の端部１１０を牽引すると、略リング状にランダムに巻かれたストリング１０９は、溝内で回転する。そして、略リング状にランダムに巻かれたストリング１０９とは別に配置された筒状体７がストリング１０９と接触し、ストリング１０９と筒状体１０７との間の接触による摩擦によって筒状体１０７が軸部１０５の周りを回転して、ストリング１０９が引き出され、略リング状にランダムに巻かれたストリング１０９をほぐすことができるようになっている。
【００２３】
ストリング１０９の他方の端部１１１は、筒状体１０７に固定されていなくてもよい。ストリング１０９の他方の端部１１１が筒状体１０７に固定されていなくても、ストリング１０９の一方の端部１１０を牽引すると、ストリング１０９と筒状体１０７との間の摩擦によって筒状体１０７が軸部１０５の周りを回転するので、ストリング１０９はスムーズに取り出されることができる。
【００２４】
ストリング１０９は、略リング状にランダムに巻かれた状態で側面部１０６と筒状体１０７との間に配置されてもよい。ストリング１０９は、一般的に略リング状にランダムに巻かれた状態で市販されているが、その状態のままで側面部１０６と筒状体１０７との間に、すなわち側面部１０６と、筒状体１０７と、底面部１０４とによって囲まれる溝に配置されることができるので、ストリング１０９をラケットに張るストリングケース１０１の使用者にとって時間を短縮することができる。
【００２５】
蓋部１０３には少なくとも１つの孔１１２が設けられてもよい。蓋部１０３が底面部１０４の反対側において本体部１０２に取り付けられた際に、側面部１０６と筒状体１０７との間の部分に少なくとも１つの孔１１２は設けられる。略リング状にランダムに巻かれたストリング１０９は、広がらないように一般的に結束バンド、ファスナー、等の留め具で束ねられた状態で市販されているが、その留め具で束ねられた状態のままで側面部１０６と筒状体１０７との間に、すなわち側面部１０６と、筒状体１０７と、底面部１０４とによって囲まれる溝に配置されることができる。ストリング１０９を配置した後、蓋部１０３は本体部１０２に取り付けられ、ニッパー等の切断工具を少なくとも１つの孔１１２を介して溝の中に挿入し、留め具を切断することができる。切断された留め具は、少なくとも１つの孔１１２を介してストリングケース１０１から取り除かれる。留め具で束ねられた状態でストリング１０９をストリングケース１０１に収納することができるので、ストリング１０９をラケットに張るストリングケース１０１の使用者にとって時間を短縮することができる。なお、切断工具を溝の中に挿入することができればよいので、少なくとも１つの孔１１２は、底面部１０４に設けられていてもよく、側面部１０６と筒状体１０７との間の部分に少なくとも１つの孔１１２は設けられる。
【００２６】
蓋部１０３には中央部分に中央孔１１３が設けられ、また軸部１０５には中央部分に中央孔１１４が設けられてもよい。好ましくは、蓋部１０３の中央孔１１３と軸部１０５の中央孔１１４とは略同心であって、蓋部１０３を底面部１０４の反対側において本体部１０２に取り付ける際に、蓋部１０３の中央孔１１３と軸部１０５の中央孔１１４とは整列するように設けられる。ストリングケース１０１の使用者は、蓋部１０３の中央孔１１３と軸部１０５の中央孔１１４とを介してストリングケース１０１を把持することができ、ストリングケース１０１を持ち運びすることに便利である。
【００２７】
蓋部１０３を本体部１０２に取り付ける際に、蓋部１０３を本体部１０２に位置合わせすることを容易にするために、蓋部１０３は、ガイド部を有してもよい。ガイド部として、蓋部１０３は、中央部分に設けられた中央孔１１３に沿って第１のガイド部１１５を有してもよく、また周辺部分に隣接して第２のガイド部１１６を有してもよい。第１のガイド部１１５によって軸部１０５が位置合わせされ、第２のガイド部１１６によって側面部１０６が位置合わせされて、蓋部１０３は本体部１０２に取り付けられる。
【００２８】
蓋部１０３を本体部１０２に取り付けるために、本体部１０２及び蓋部１０３はそれぞれ、互いに対して解除可能に係合するための接合部を有してもよい。本体部１０２の接合部１１７は、軸部１０５に設けられてもよいし、側面部１０６に設けられてもよい。蓋部１０３の接合部１１８は、本体部１０２の接合部１１７に位置合わせされるように設けられる。本体部１０２の接合部１１７が軸部１０５に設けられる場合には、蓋部１０３の中央部分に接合部１１８は設けられ、本体部１０２の接合部１１７が側面部１０６に設けられる場合には、蓋部１０３の周辺部分に接合部１１８は設けられる。本体部１０２と蓋部１０３とを、蓋部１０３のガイド部に沿って互いに対して回転させることによって、本体部１０２の接合部１１７を蓋部１０３の接合部１１８に係合させて、蓋部１０３は、本体部１０２に取り付けられてもよい。また、本体部１０２と蓋部１０３とを、蓋部１０３のガイド部に沿って互いに対して反回転させることによって、本体部１０２の接合部１１７の蓋部１０３の接合部１１８との係合を解除させて、蓋部１０３は、本体部１０２から取り外されてもよい。
【００２９】
上記記載は特定の実施例についてなされたが、本考案はそれに限らず、本考案の原理と添付の実用新案登録請求の範囲の範囲内で種々の変更及び修正をすることができることは当業者に明らかである。
【符号の説明】
【００３０】
１０１    ストリングケース
１０２    本体部
１０３    蓋部
１０４    底面部
１０５    軸部
１０６    側面部
１０７    筒状体
１０８    取出口
１０９    ストリング
１１０    一方の端部
１１１    他方の端部
１１２    蓋部の孔
１１３    蓋部の中央孔
１１４    軸部の中央孔
１１５    第１のガイド部
１１６    第２のガイド部
１１７    本体部の接合部
１１８    蓋部の接合部
【図１Ａ】
0003224968.tif 000003
【図１Ｂ】
0003224968.tif 000004
【図２Ａ】
0003224968.tif 000005
【図２Ｂ】
0003224968.tif 000006
【図３Ａ】
0003224968.tif 000007
【図３Ｂ】
0003224968.tif 000008
【図４】
0003224968.tif 000009
【図５】
0003224968.tif 000010
【図６】
0003224968.tif 000011